(57)【要約】【課題】  縦クロストークとともに、縦スジを目立たなくする。【解決手段】  負極性書込の走査線を選択する前に、各データ線をプリチャージするプリチャージ期間のうち、前半期間に各データ線を黒色相当電圧Ｖb−にプリチャージし、続く後半期間に灰色相当電圧Ｖg−にプリチャージする。ここで、チャネルＣｈ１の画像信号が供給されるデータ線に位置する画素の階調が、他のチャネルＣｈ２〜Ｃｈ６のデータ線に位置する画素と相違するような縦スジが発生している場合に、チャネルＣｈ１に対応付けられたデータ線においてＶb−からＶg−に切り替えるタイミングを、チャネルＣｈ２〜Ｃｈ６に対応付けられたデータ線における切替タイミングよりも遅くする。【選択図】        図４
2005148304.tif 000002
【特許請求の範囲】
【請求項１】
複数の走査線と、一定本数毎にブロック化された複数のデータ線との交差に対応して設
けられるとともに、対応する走査線が選択されたときに、対応するデータ線に供給された
画像信号が書き込まれる画素を有する電気光学装置の駆動方法であって、
前記各画素に供給すべき画像信号を、前記ブロックを構成するデータ線数分のチャネル
に分配して、チャネル数分の画像信号線にそれぞれ供給し、
複数の走査線の各々を順番に選択し、
一の走査線を選択する前のプリチャージ期間のうち、前半期間に各データ線を第１電圧
にプリチャージし、続く後半期間に第２電圧にプリチャージするとともに、一のチャネル
に対応付けられたデータ線において前記第１電圧から前記第２電圧に切り替えるタイミン
グを、他のチャネルに対応付けられたデータ線において前記第１電圧から前記第２電圧に
切り替えるタイミングと異ならせ、
前記プリチャージ期間の後であって、一の走査線が選択される選択期間において、ブロ
ックを順番に１つずつ選択するとともに、前記画像信号線の各々に分配された画像信号を
、選択したブロックに属するデータ線のうち、対応付けられるデータ線にそれぞれサンプ
リングする
ことを特徴とする電気光学装置の駆動方法。
【請求項２】
前記画素は、画素電極と対向電極との間に液晶が挟持された液晶容量と、
走査線が選択されたときに、対応するデータ線と前記画素電極との間においてオンする
スイッチング素子とを有するものであり、
前記対向電極の電圧よりも高位電圧を前記画素電極に書き込む場合には、当該書き込み
前のプリチャージ期間における第１電圧を第２電圧よりも高くする一方、前記対向電極の
電圧よりも低位電圧を前記画素電極に書き込む場合には、当該書き込み前のプリチャージ
期間における第１電圧を第２電圧よりも低くする
ことを特徴とする請求項１に記載の電気光学装置の駆動方法。
【請求項３】
前記一のチャネルを、前記プリチャージ期間の都度変更する
ことを特徴とする請求項１に記載の電気光学装置の駆動方法。
【請求項４】
前記第２電圧は、
画像信号において画素を最高階調と最低階調との間の中間階調電圧に相当する電圧であ
る
ことを特徴とする請求項１に記載の電気光学装置の駆動方法。
【請求項５】
複数の走査線と、一定本数毎にブロック化された複数のデータ線との交差に対応して設
けられるとともに、対応する走査線が選択されたときに、対応するデータ線に供給された
画像信号が書き込まれる画素を有する電気光学装置であって、
前記各画素に供給すべき画像信号を、前記ブロックを構成するデータ線数分のチャネル
に分配して、チャネル数分の画像信号線にそれぞれ供給する分配回路と、
複数の走査線の各々を順番に選択する走査線駆動回路と、
前記走査線駆動回路によって一の走査線が選択される前のプリチャージ期間のうち、前
半期間に各データ線を第１電圧にプリチャージし、続く後半期間に第２電圧にプリチャー
ジするプリチャージ回路であって、一のチャネルに対応付けられたデータ線において前記
第１電圧から前記第２電圧に切り替えるタイミングを、他のチャネルに対応付けられたデ
ータ線において前記第１電圧から前記第２電圧に切り替えるタイミングと異ならせたプリ
チャージ回路と
前記プリチャージ期間の後であって、前記走査線駆動回路によって一の走査線が選択さ
れる選択期間において、ブロックを順番に１つずつ選択するとともに、前記画像信号線の
各々に分配された画像信号を、選択したブロックに属するデータ線のうち、対応付けられ
るデータ線にそれぞれサンプリングするデータ線駆動回路と
を有することを特徴とする電気光学装置。
【請求項６】
請求項５に記載の電気光学装置を有することを特徴とする電子機器。
【発明の詳細な説明】
【技術分野】
【０００１】
本発明は、画像信号をデータ線にサンプリングする前に、当該データ線をプリチャージ
する技術に関する。
【背景技術】
【０００２】
電気光学物質の電気光学変化を用いて表示を行う表示パネル、例えば、液晶を用いた液
晶パネルについては、駆動方式によりいくつかに分類することができるが、画素電極を三
端子型のスイッチング素子により駆動するアクティブマトリクス型にあっては、おおよそ
次のような構成となっている。すなわち、この種の液晶パネルは、液晶が一対の基板間に
挟持されるとともに、一方の基板には、複数の走査線と複数のデータ線とが互いに交差す
るように設けられる。さらに、図１０に示されるように、走査線１１２とデータ線１１４
との交差部分の各々に対応して薄膜トランジスタ（Thin Film Transistor：以下「ＴＦＴ
」と称する）１１６および画素電極１１８の対が設けられ、他方の基板には画素電極に対
向する透明な対向電極（共通電極）１０８が設けられて、一定の電圧ＬＣcomに維持され
ている。また、両基板の各対向面には、液晶分子の長軸方向が両基板間で例えば約９０度
連続的に捻れるようにラビング処理された配向膜がそれぞれ設けられる一方、両基板の各
背面側には配向方向に応じた偏光子がそれぞれ設けられる。
説明の便宜上、走査線１１２の総本数を「ｍ」とし、データ線１１４の総本数を「６ｎ
」とすると（ｍ、ｎは、それぞれ整数とする）、画素は、走査線１１２とデータ線１１４
との各交差部分に対応して、ｍ行×６ｎ列のマトリクス状に配列することになる。
また、液晶容量における電荷のリークを減少防止するために、蓄積容量１１９が画素毎
に形成されている。この蓄積容量１１９の一端は、画素電極１１８（ＴＦＴ１１６のドレ
イン）に接続される一方、その他端は、容量線１７５により共通接地されている。
【０００３】
画素電極１１８と対向電極１０８との間を通過する光は、液晶容量の電圧実効値がゼロ
であれば、液晶分子の捻れに沿って約９０度旋光する一方、当該電圧実効値が大きくなる
につれて、液晶分子が電界方向に傾く結果、その旋光性が消失する。このため、例えば透
過型において、入射側と背面側とに、配向方向に合わせて偏光軸が互いに直交する偏光子
をそれぞれ配置させたノーマリーホワイトモードの場合、液晶容量の電圧実効値がゼロで
あれば、光が透過するので白（透過率が大になる）表示になる一方、電圧実効値が大きく
なるにつれて透過する光量が減少して、ついには黒表示になる（透過率が最小になる）。
したがって、画素の階調（または輝度）に応じた電圧の画像信号を、データ線１１４を介
して画素電極１１８に印加して、液晶容量の電圧実効値を画素毎に制御することによって
、所定の表示が可能となる。
【０００４】
また、液晶容量は交流駆動を原則とするので、画素電極１１８に印加される画像信号は
、図１１に示されるような電圧範囲であって、振幅中心の基準電圧Ｖcに対して高位側・
低位側の電圧を交互にとる。ここで、画素電極１１８への印加電圧が電圧Ｖcに対して高
位側となるときの書き込みを正極性書込といい、画素電極１１８への印加電圧が電圧Ｖc
に対して低位側となるときの書き込みを負極性書込ということにする。なお、基準電圧Ｖ
cは、対向電極１０８の電圧ＬＣcomとして考えて良いが、ＴＦＴ１１６の特性により若干
相違する場合もある。
ここで、電源電圧の低位側である接地電圧を０Ｖとし、高位側電圧を１４Ｖとしたとき
、負極性書込において画素を最低階調の黒表示とする場合における画像信号は例えば２Ｖ
である。同様に、負極性書込における最高階調の白表示、正極性書込における白表示、お
よび、正極性書込における黒表示とさせる画像信号は、それぞれ６Ｖ、８Ｖ、および、１
２Ｖであり、また、基準電圧は７Ｖである。なお、この電圧値は便宜上のものである。
【０００５】
ところで、この種の液晶パネルでは、いわゆる縦クロストークが発生して、表示品位が
低下する、という問題があった。この縦クロストークは、例えば図１２に示されるように
、同一階調の灰色を背景として黒色領域をウィンドウ表示しようとする場合、当該黒色領
域において上下に隣接する灰色領域が他の灰色領域よりも明るくなってしまう、という現
象である。
なお、図１２では説明のために、表示領域１００ａを水平走査（横）方向に沿って領域
Ａ、Ｂ、Ｃに分けるとともに、垂直走査（縦）にも沿って領域Ｄ、Ｅ、Ｆに分けている。
そして、これらの計９つの領域については、水平走査方向の領域と垂直走査方向の領域と
で特定される。例えば、ウィンドウ表示される黒色領域の表記は（Ｂ−Ｅ）である。
【０００６】
この縦クロストークの主原因は、画素電極１１８とデータ線１１４との間に介挿された
ＴＦＴ１１６の光リークである。この光リークについて詳述すると、一般に、ＴＦＴのゲ
ート・ソース間の電圧ＶＤＳとドレイン電流ＩＤとは、おおよそ図１３の実線で示される
ような特性の関係にある。ＴＦＴを構成するポリシリコンは、光導電性を有するので、Ｔ
ＦＴのチャンネル部に光が入射しないようにブラックマトリクスが設けられるが、その遮
光を完全に期することは困難であるので、当該特性が破線で示されるように左方向にシフ
トする。当該特性がシフトしても、ソース（データ線）電圧がゲート（走査線）電圧より
も大きく下回れば、ドレイン電流ＩＤは、ほとんど流れないが、ソース電圧がゲート電圧
よりもわずかに下回る程度であれば、ドレイン電流ＩＤが流れる、すなわち、オフ抵抗が
低下する。
【０００７】
ここで、図１２に示されるような表示をする際に、領域Ｂに属する走査線を選択して、
領域Ｅに属するデータ線に負極性の黒色に相当する電圧（２Ｖ）がサンプリングされると
、領域Ａ、Ｃに属する走査線の電圧は非選択であるため、電源の低位側電圧の０Ｖである
。このため、灰色領域（Ａ−Ｅ）および（Ｃ−Ｅ）に属するＴＦＴでは、ゲート電圧がソ
ース電圧よりもわずかに下回る状態となるので、当該領域のＴＦＴでは、そのオフ抵抗が
低下して、画素電極１１８の電圧が対向電極の電圧に近づく結果、液晶容量に印加された
電圧実効値が低下する。
これに対し、領域Ｄ、Ｆに属するデータ線には、負極性の黒色に相当する電圧がサンプ
リングされる場合はないので、灰色領域（Ａ−Ｄ）、（Ｂ−Ｄ）、（Ｃ−Ｄ）、（Ａ−Ｆ
）、（Ｂ−Ｆ）および（Ｃ−Ｆ）に属するＴＦＴでは、そのオフ抵抗が低下することはな
い。このため、液晶容量に印加された電圧実効値がそれほど低下することはない。
したがって、灰色領域（Ａ−Ｅ）および（Ｃ−Ｅ）の画素は、灰色領域（Ａ−Ｄ）、（
Ｂ−Ｄ）、（Ｃ−Ｄ）、（Ａ−Ｆ）、（Ｂ−Ｆ）および（Ｃ−Ｆ）の画素よりも、電圧実
効値の低下により、ノーマリーホワイトモードであれば、明るくなるのである。
【０００８】
一方、各データ線にはそれぞれ容量が寄生するので、データ線に画像信号をサンプリン
グするのに要する時間が長期化するとともに、直前にサンプリングされた画像信号の電圧
がデータ線に残存しているために、その次に画像信号をサンプリングしたときのデータ線
（画素電極）の電圧が異なってしまう。これらを防止するために、データ線に画像信号を
サンプリングする前に、データ線を一定の電圧にプリチャージする技術が知られている。
ここで、データ線にプリチャージする電圧としては、正極性書込を行うのであれば、正
極性の灰色に相当する電圧（９Ｖ）であり、負極性書込を行うのであれば、負極性の灰色
に相当する電圧（５Ｖ）であることが望ましいと考えられる。この理由は、液晶容量に印
加される電圧実効値と透過率との特性（Ｖ−Ｔ特性）では、灰色にする場合（透過率が５
０％である場合）において、電圧実効値に対する透過率変化が最大となるからであって、
データ線を予め灰色に相当する電圧（５Ｖまたは９Ｖ）にプリチャージしておけば、灰色
に相当する電圧の画像信号をデータ線に高速にサンプリングできるから、および、正確な
中間階調表示が可能になるからである。
【０００９】
このように各データ線にプリチャージする電圧としては、灰色相当する電圧が望ましい
と考えられるが、上記縦クロストークを目立たなくするため、負極性書込を行う前のプリ
チャージ電圧として、黒色に相当する電圧（２Ｖ）を印加する技術が提案された（特許文
献１参照）。
このように、負極性書込を行う前に黒色に相当する電圧をプリチャージすると、灰色領
域（Ａ−Ｄ）、（Ｂ−Ｄ）、（Ｃ−Ｄ）、（Ａ−Ｆ）、（Ｂ−Ｆ）および（Ｃ−Ｆ）のＴ
ＦＴについても、明るくなる灰色領域（Ｂ−Ｆ）および（Ｃ−Ｆ）に属するＴＦＴと同様
に、ゲート電圧がソース電圧よりも２Ｖだけ下回って、オフ抵抗が低下する。このため、
灰色領域（Ａ−Ｄ）、（Ｂ−Ｄ）、（Ｃ−Ｄ）、（Ａ−Ｆ）、（Ｂ−Ｆ）および（Ｃ−Ｆ
）についても液晶容量に印加された電圧実効値が低下して、灰色領域（Ｂ−Ｆ）および（
Ｃ−Ｆ）と同様に明るくなり、これにより、灰色領域において階調の差がなくなって、縦
クロストークが目立たなくなる。
なお、縦クロストークを目立たなくするために負極性書込のプリチャージ電圧として黒
色に相当する電圧（２Ｖ）にしたこととの関係上、正極性書込のプリチャージ電圧につい
ては白色に相当する電圧、場合によっては振幅中心電圧として、両極性書込でみたときに
理想的な灰色になるようにされている。
【特許文献１】国際公開第９９／０４３８４号パンフレット
【発明の開示】
【発明が解決しようとする課題】
【００１０】
ところで近年では、データ線に画像信号を点順次的にサンプリングする際の時間を確保
するために、例えば図１４に示されるように、データ線を予め定められた本数（例えば６
本）毎にブロック化するとともに、１本の走査線１１２が選択される期間において、各ブ
ロックを順番に選択して、ブロック毎に画像信号をデータ線にサンプリングさせる相展開
の構成が採用される。この相展開の構成では、１系統の画像信号が１ブロックに含まれる
データ線１１４の本数に相当する６系統のチャネル（相）に分配され、さらに時間軸に６
倍に伸長されて、画像信号線１７１に供給される。したがって、１つのブロックが選択さ
れると、６倍に伸長された画像信号が、当該ブロックに含まれる６本のデータ線１１４に
それぞれ対応付けられてサンプリングされるので、１本ずつデータ線を選択して画像信号
をサンプリングする構成と比較すると、サンプリングするための時間を６倍長くすること
ができる。なお、ここでは、１つのブロックに含まれるデータ線の数を「６」としたが、
特にこれに制限する趣旨ではない。
【００１１】
しかしながら、相展開の構成では、ブロックに含まれるデータ線１１４に画像信号を同
時にサンプリングする関係上、同じ階調で表示させようとしても、ブロックにおける特定
のデータ線に位置する画素の階調が他のデータ線に位置する画素の階調と相違して、これ
が縦方向のスジムラ（縦スジ）として視認される場合があった。
本発明は、上述した事情に鑑みてなされたもので、その目的とするところは、上記縦ク
ロストークとともに、縦スジを目立たなくすることを可能とした電気光学装置の駆動方法
、電気光学装置および電子機器を提供することにある。
【課題を解決するための手段】
【００１２】
上記目的を達成するために、本発明に係る電気光学装置の駆動方法は、複数の走査線と
、一定本数毎にブロック化された複数のデータ線との交差に対応して設けられるとともに
、対応する走査線が選択されたときに、対応するデータ線に供給された画像信号が書き込
まれる画素を有する電気光学装置の駆動方法であって、前記各画素に供給すべき画像信号
を、前記ブロックを構成するデータ線数分のチャネルに分配して、チャネル数分の画像信
号線にそれぞれ供給し、複数の走査線の各々を順番に選択し、一の走査線を選択する前の
プリチャージ期間のうち、前半期間に各データ線を第１電圧にプリチャージし、続く後半
期間に第２電圧にプリチャージするとともに、一のチャネルに対応付けられたデータ線に
おいて前記第１電圧から前記第２電圧に切り替えるタイミングを、他のチャネルに対応付
けられたデータ線において前記第１電圧から前記第２電圧に切り替えるタイミングと異な
らせ、前記プリチャージ期間の後であって、一の走査線が選択される選択期間において、
ブロックを順番に１つずつ選択するとともに、前記画像信号線の各々に分配された画像信
号を、選択したブロックに属するデータ線のうち、対応付けられるデータ線にそれぞれサ
ンプリングすることを特徴とする。この方法によれば、第１電圧のプリチャージによって
縦クロストークが目立たなくなる。また、同じ階調レベルに相当する信号を画素に供給し
たのに、一のチャネルに対応付けられるデータ線に位置する画素の輝度レベルが他のチャ
ネルに対応付けられるデータ線に位置する画素の輝度レベルが異なるのであれば、一のチ
ャネルに対応付けられるデータ線の電圧切替タイミングを、その輝度レベルの差の程度に
応じて異ならせることによって、その輝度差をなくす方向に調整することが可能となる。
本発明において、前記画素は、画素電極と対向電極との間に液晶が挟持された液晶容量
と、走査線が選択されたときに、対応するデータ線と前記画素電極との間においてオンす
るスイッチング素子とを有するものであり、前記対向電極の電圧よりも高位電圧を前記画
素電極に書き込む場合には、当該書き込み前のプリチャージ期間における第１電圧を第２
電圧よりも高くする一方、前記対向電極の電圧よりも低位電圧を前記画素電極に書き込む
場合には、当該書き込み前のプリチャージ期間における第１電圧を第２電圧よりも低くす
ることが好ましい。
また、前記一のチャネルを、前記プリチャージ期間の都度変更することも好ましい。こ
の方法によれば、階調差の異なる画素がシフトする結果、斜めスジが発生する。このため
、仮に縦スジが発生した場合にであっても、斜めスジとの合成により、当該縦スジが目立
たなくなる。
一方、前記第２電圧は、画像信号において画素を最高階調と最低階調との間の中間階調
電圧に相当する電圧であることも好ましい。この方法によれば、より正確に中間階調を再
現することも可能となる。
【００１３】
また、本発明において、電気光学装置の駆動方法のみならず、電気光学装置の駆動回路
としても、さらに、電気光学装置それ自体としても概念することができる。加えて、本発
明に係る電子機器は、上記電気光学装置の表示パネルを表示部として有するので、上記縦
クロストークとともに、縦スジを目立たなくすることが可能となる。
【発明を実施するための最良の形態】
【００１４】
以下、本発明の実施形態について図面を参照して説明する。図１は、本実施形態に係る
電気光学装置の全体構成を示すブロック図である。
この図に示されるように、電気光学装置は、液晶パネル１００と、制御回路２００と、
画像信号処理回路３００とから構成される。このうち、制御回路２００は、図示しない上
位装置から供給される垂直走査信号Ｖｓ、水平走査信号Ｈｓおよびドットクロック信号Ｄ
ＣＬＫから、各部を制御するためのタイミング信号やクロック信号などを生成するほか、
水平帰線期間内のプリチャージ期間においてＨレベルとなる信号ＮＲＧや、サンプリング
信号のパルス幅を狭めるための信号ＥＮＢも生成する。
画像信号処理回路３００は、さらに、Ｄ／Ａ変換回路３０２、Ｓ／Ｐ変換回路３０４お
よびプリチャージ電圧生成回路３０６から構成される。このうち、Ｄ／Ａ変換回路３０２
は、垂直走査信号Ｖｓ、水平走査信号Ｈｓおよびドットクロック信号ＤＣＬＫに同期して
（すなわち、垂直走査および水平走査にしたがって）、図示されない上位装置から供給さ
れるディジタルの映像信号ＶＩＤを、アナログの画像信号に変換するものである。
【００１５】
Ｓ／Ｐ変換回路（分配回路）３０４は、アナログの映像信号を入力すると、これを６チ
ャネルに分配するとともに、それぞれ時間軸に６倍に伸長して（シリアル−パラレル変換
）、出力するものである。ここで、画像信号をシリアル−パラレル変換する理由は、サン
プリングスイッチ１５１において、画像信号が印加される時間を長くして、サンプル＆ホ
ールド時間および充放電時間を確保するためである。
また、Ｓ／Ｐ変換回路３０４は、シリアル−パラレル変換した後、画像信号のうち、極
性反転が必要となるものを反転させ、この後、適宜、増幅する。ここで、極性反転につい
ては、（１）走査線毎、（２）データ信号線毎、（３）画素毎、の態様があるが、この実
施形態にあっては説明の便宜上、（１）走査線単位の極性反転である場合を例にとって説
明する。ただし、本発明をこれに限定する趣旨ではない。
なお、この実施形態では、シリアル−パラレル変換前に、映像信号ＶＩＤをアナログ変
換する構成とするが、シリアル−パラレル変換した後に、アナログ変換しても良いのはも
ちろんである。さらに、本実施形態では、６チャネルの画像信号は、同一ブロックに含ま
れるデータ線１１４に同時にサンプリングされるが、６チャネルの画像信号をドットクロ
ックに同期して順次シフトするとともに、６チャネルの画像信号をサンプリング回路が順
次サンプリングする構成としても良い。
【００１６】
プリチャージ電圧生成回路３０６は、信号ＮＲＧがＨレベルとなるプリチャージ期間の
において、各チャネルへのプリチャージ電圧を独立に生成するものである。詳細には、プ
リチャージ電圧生成回路３０６は、あるチャネルのプリチャージ電圧を、正極性書込前の
プリチャージ期間の前半では黒色に相当する電圧Ｖb＋とし、後半では灰色に相当する電
圧Ｖg＋とする一方、負極性書込前のプリチャージ期間では前半に黒色に相当する電圧Ｖb
−とし、後半では灰色に相当する電圧Ｖg−とする。そして、プリチャージ電圧生成回路
３０６は、各チャネルについて電圧切替タイミングを独立に切り替えることが可能となっ
ている。
スイッチ３０８は、チャネルＣｈ１〜Ｃｈ６について、信号ＮＲＧがＬレベルであると
きＳ／Ｐ変換回路３０４による画像信号を選択する一方、信号ＮＲＧがＨレベルであると
きプリチャージ電圧生成回路３０６によるプリチャージ電圧を選択して、液晶パネル１０
０に画像信号ＶＩＤ１〜ＶＩＤ６として供給する。
【００１７】
次に、液晶パネル１００の構成について説明する。図２は、液晶パネル１００の電気的
な構成を示すブロック図である。この図における液晶パネル１００は、画素の配列領域た
る表示領域１００ａについては、図１０に示した構成と同一であるので、ここでは、表示
領域１００ａの周辺を中心にして説明する。
表示領域１００ａの外側には、走査線駆動回路１３０や、シフトレジスタ１４０、サン
プリング回路１５０などが設けられている。このうち、走査線駆動回路１３０は、１水平
有効表示期間だけアクティブ（Ｈ）レベルになる走査信号Ｇ１、Ｇ２、…、Ｇｍを、図３
に示されるように、１水平走査期間（１Ｈ）毎に順番に出力するものである。なお、走査
線駆動回路１３０の詳細については、本発明と直接関連しないので省略するが、１垂直走
査期間の最初に供給される転送開始パルスＤＹを、クロック信号ＣＬＹのレベルが遷移す
る毎に順次シフトした後、波形整形などして、走査信号Ｇ１、Ｇ２、…、Ｇｍを生成する
。
【００１８】
また、シフトレジスタ１４０は、図３に示されるように、１水平有効表示期間の最初に
供給される転送開始パルスＤＸを、クロック信号ＣＬＸのレベルが遷移する（立ち上がる
又は立ち下がる）毎に順次シフトして、データ線のブロック毎に対応させて信号Ｓ１’、
Ｓ２’、Ｓ３’、…、Ｓｎ’として出力する。
ＡＮＤ回路１４２は、シフトレジスタ１４０の各出力段にそれぞれ設けられ、当該出力
段からの信号と信号ＥＮＢとの論理積信号を出力するものである。これにより、シフトレ
ジスタ１４０の各出力段による信号は、相隣接するもの同士が重複しないように、それぞ
れ信号ＥＮＢのパルス幅ＳＭＰａに狭められる。
ＯＲ回路１４４は、ＡＮＤ回路１４２による論理積信号と信号ＮＲＧとの論理和信号を
、サンプリング信号として出力するものである。このように、シフトレジスタ１４０によ
る信号Ｓ１’、Ｓ２’、Ｓ３’、…、Ｓｎ’は、ＡＮＤ回路１４２およびＯＲ回路１４４
を順番に経て、最終的にサンプリング信号Ｓ１、Ｓ２、Ｓ３、…、Ｓｎとして出力される
。
【００１９】
サンプリング回路１５０は、６本の画像信号線１７１を介して供給される６チャネル分
の画像信号ＶＩＤ１〜ＶＩＤ６を、サンプリング信号Ｓ１、Ｓ２、Ｓ３、…、Ｓｎにした
がって各データ線１１４にサンプリングするものであり、データ線１１４毎に設けられる
サンプリングスイッチ１５１から構成されている。
ここで、データ線１１４は６本毎にブロック化されており、図２において左から数えて
ｉ（ｉは、１、２、…、ｎ）番目のブロックに属するデータ線１１４の６本のうち、最も
左に位置するデータ線１１４の一端に接続されるサンプリングスイッチ１５１は、画像信
号線１７１を介して供給された画像信号ＶＩＤ１を、サンプリング信号Ｓｉがアクティブ
になる期間においてサンプリングして、当該データ線１１４に供給する構成となっている
。また、ブロックにおいて２番目に位置するデータ線１１４の一端に接続されるサンプリ
ングスイッチ１５１は、画像信号ＶＩＤ２を、サンプリング信号Ｓｉがアクティブになる
期間においてサンプリングして、当該データ線１１４に供給する構成となっている。以下
、同様に、ブロックに属するデータ線１１４の６本のうち、３、４、５、６番目に位置す
るデータ線１１４の一端に接続されるサンプリングスイッチ１５１の各々は、画像信号Ｖ
ＩＤ３、ＶＩＤ４、ＶＩＤ５、ＶＩＤ６の各々を、サンプリング信号Ｓｉがアクティブレ
ベルになる期間においてサンプリングして、対応するデータ線１１４に供給する構成とな
っている。
したがって、シフトレジスタ１４０、ＡＮＤ回路１４２およびサンプリング回路１５０
によって、データ線１１４に画像信号をサンプリングするデータ線駆動回路が構成される
。なお、サンプリングスイッチ１５１を構成するＴＦＴについては、本実施形態では、Ｎ
チャネル型とするので、サンプリング信号Ｓ１、Ｓ２、…、ＳｎがＨレベルになれば、対
応するサンプリングスイッチ１５１がオンになる。なお、サンプリングスイッチ１５１を
構成するＴＦＴについては、Ｐチャネル型としても良いし、両チャネルを組み合わせた相
補型としても良い。
なお、走査線駆動回路１３０や、シフトレジスタ１４０、ＡＮＤ回路１４２、ＯＲ回路
１４４、サンプリングスイッチ１５１の構成素子は、画素を駆動するＴＦＴ１１６と共通
の製造プロセスで形成されて、装置全体の小型化や低コスト化に寄与している。
【００２０】
次に、電気光学装置の動作について説明する。まず、垂直走査期間の最初において、転
送開始パルスＤＹが走査線駆動回路１３０に供給される。この供給によって、図３に示さ
れるように、走査信号Ｇ１、Ｇ２、Ｇ３、…、Ｇｍが順次排他的にアクティブレベルにな
って、それぞれ走査線１１２に出力される。
ここでまず、走査信号Ｇ１がアクティブレベルになる水平有効表示期間について着目す
ると、当該水平有効表示期間の先立つ帰線期間において、信号ＮＲＧが、図４（ａ）に示
されるように、その帰線期間の前後端から隔絶されたプリチャージ期間にてＨレベルにな
る。はじめの段階においては、液晶パネル１００にどのような表示ムラが発生するのかを
知る必要があるので、プリチャージ電圧生成回路３０６は、プリチャージ電圧の切り替え
をしない。すなわち、プリチャージ電圧生成回路３０６は、図４（ｂ）において（１）で
示されるように、チャネルＣｈ１〜Ｃｈ６に対するプリチャージ電圧をプリチャージ期間
にわたって正極性書込に対応する電圧Ｖcで一定とする。
また、信号ＮＲＧがＨレベルであると、スイッチ３０８はプリチャージ電圧生成回路３
０６によるプリチャージ電圧を選択するので、６本の画像信号線１７１の電圧は、電圧Ｖ
cとなる。さらに、信号ＮＲＧがＨレベルになると、ＡＮＤ回路１４２による論理積信号
のレベルにかかわらず、ＯＲ回路１４４の論理積信号はＨレベルになるので、すべてのサ
ンプリングスイッチ１５１がオンする。したがって、信号ＮＲＧがＨレベルになると、す
べてのデータ線１１４には、プリチャージ電圧生成回路３０６によるプリチャージ電圧に
プリチャージされ、ここでは、正極性書込に対応して電圧Ｖcにプリチャージされること
となる。したがって、プリチャージ電圧生成回路３０６、スイッチ３０８、画像信号線１
７１、ＯＲ回路１４４およびサンプリング回路１５０によって、データ線１１４のプリチ
ャージ回路が構成されることになる。
【００２１】
次に、帰線期間が終了して、水平有効表示期間になり、走査信号Ｇ１がアクティブレベ
ルになると、その最初に転送開始パルスＤＸが、図３または図４（ａ）に示されるように
、シフトレジスタ１４０に供給される。これにより、シフトレジスタ１４０から信号Ｓ１
’、Ｓ２’、Ｓ３’、…、Ｓｎ’が出力される。さらに、これらの信号Ｓ１’、Ｓ２’、
Ｓ３’、…、Ｓｎ’は、信号ＥＮＢとの論理積がＡＮＤ回路１４２によってとられて、相
隣接するもの同士、パルス幅が互いに重複しないように期間ＳＭＰａに狭められたサンプ
リング信号Ｓ１、Ｓ２、Ｓ３、…、Ｓｎとして順番に出力される。
【００２２】
一方、水平走査に同期して供給される映像信号ＶＩＤは、第１に、Ｄ／Ａ変換回路３０
２によってアナログ信号に変換され、第２に、Ｓ／Ｐ変換回路３０４によって６チャネル
に分配されるとともに、時間軸に対して６倍に伸長し、さらに、正極性書込に対応して、
電圧Ｖcを基準に正転して出力される。このため、Ｓ／Ｐ変換回路による出力電圧は、画
素を黒色とするほど、電圧Ｖcよりも高位電圧となる。
また、水平有効走査期間では、信号ＮＲＧがＬレベルになるので、スイッチ３０８はＳ
／Ｐ変換回路３０４による出力を選択する。このため、６本の画像信号線１７１に供給さ
れる信号ＶＩＤ１〜ＶＩＤ６は、Ｓ／Ｐ変換回路３０４により変換された画像信号となる
。
【００２３】
走査信号Ｇ１がアクティブレベルになる水平有効走査期間において、サンプリング信号
Ｓ１がアクティブレベルになると、左から１番目のブロックに属する６本のデータ線１１
４には、画像信号ＶＩＤ１〜ＶＩＤ６のうち対応するものがそれぞれサンプリングされる
。そして、サンプリングされた画像信号ＶＩＤ１〜ＶＩＤ６は、図２において上から数え
て１本目の走査線１１２と当該６本のデータ線１１４と交差する画素の画素電極１１８に
それぞれ印加されることになる。
この後、サンプリング信号Ｓ２がアクティブレベルになると、今度は、２番目のブロッ
クに属する６本のデータ線１１４に、それぞれ画像信号ＶＩＤ１〜ＶＩＤ６がサンプリン
グされて、これらの画像信号ＶＩＤ１〜ＶＩＤ６が、１本目の走査線１１２と当該６本の
データ線１１４と交差する画素の画素電極１１８にそれぞれ印加されることになる。
【００２４】
以下同様にして、サンプリング信号Ｓ３、Ｓ４、……、Ｓｎが順次アクティブレベルに
なると、第３番目、第４番目、…、第ｎ番目のブロックに属する６本のデータ線１１４に
画像信号ＶＩＤ１〜ＶＩＤ６のうち対応するものがサンプリングされ、これらの画像信号
ＶＩＤ１〜ＶＩＤ６が、１本目の走査線１１２と、当該６本のデータ線１１４と交差する
画素の画素電極１１８にそれぞれ印加されることになる。これにより、第１行目の画素の
すべてに対する書き込みが完了することになる。
【００２５】
続いて、走査信号Ｇ２がアクティブになる期間について説明する。本実施形態では、上
述したように、走査線単位の極性反転が行われるので、この水平走査期間においては、負
極性書込が行われることになる。
ここでまず、走査信号Ｇ１がアクティブレベルになる水平有効表示期間について着目す
ると、この負極性書込の水平有効表示期間の先立つ帰線期間のうち、プリチャージ期間に
おいて、信号ＮＲＧがＨレベルになると、プリチャージ電圧生成回路３０６は、図４（ｂ
）において（２）で示されるように、すべてのチャネルＣｈ１〜Ｃｈ６に対するプリチャ
ージ電圧をプリチャージ期間にわたって負極性書込に対応する電圧Ｖb−とする。
一方、スイッチ３０８はプリチャージ電圧生成回路３０６によるプリチャージ電圧を選
択するので、６本の画像信号線１７１は、電圧Ｖb−となり、また、ＯＲ回路１４４の論
理積信号がＨレベルになって、すべてのサンプリングスイッチ１５１がオンするので、す
べてのデータ線１１４には、負極性書込に対応して電圧Ｖb−にプリチャージされること
となる。
他の動作については走査信号Ｇ１がアクティブになる期間と同様であり、サンプリング
信号Ｓ１、Ｓ２、Ｓ３、…、Ｓｎが順次アクティブレベルになって、第２行目の画素のす
べてに対する書き込みが完了することになる。ただし、Ｓ／Ｐ変換回路３０４では、６チ
ャネルに分配されて、時間軸に対して６倍に伸長された信号が、負正極性書込に対応して
、電圧Ｖcを基準に反転して出力されるので、その電圧は、画素を黒色とするほど、電圧
Ｖcよりも低位電圧となる。
【００２６】
以下同様にして、走査信号Ｇ３、Ｇ４、…、Ｇｍがアクティブになって、第３行目、第
４行目、…、第ｍ行目の画素に対して書き込みが行われることになる。これにより、奇数
行目の画素については正極性書込が行われる一方、偶数行目の画素については負極性書込
が行われて、この１垂直走査期間においては、第１行目〜第ｍ行目の画素のすべてにわた
って書き込みが完了することになる。
そして、次の１垂直走査期間においても、同様な書き込みが行われるが、この際、各行
の画素に対する書込極性が入れ替えられる。すなわち、次の１垂直走査期間において、奇
数行目の画素については負極性書込が行われる一方、偶数行目の画素については正極性書
込が行われることになる。このように、垂直走査期間毎に画素に対する書込極性が入れ替
えられるので、液晶１０５に直流成分が印加されることがなくなり、液晶１０５の劣化が
防止される。
【００２７】
このようにして表示された画像が図５（ａ）に示されるように、各ブロックにおいて最
も左に位置するデータ線１１４、すなわち、チャネルＣｈ１の画像信号が供給されるデー
タ線１１４に位置する画素が、他のデータ線１１４に位置するよりも暗い場合、プリチャ
ージ電圧生成回路３０６は、チャネルＣｈ１〜Ｃｈ６について次のようなプリチャージ電
圧を次のようなタイミングで切り替えるように設定される。
すなわち、プリチャージ電圧生成回路３０６は、正極性書込において、チャネルＣｈ１
については図４（ｂ）の（３）に示されるように、プリチャージ期間の最初において黒色
に相当する電圧Ｖb＋とし、その後、タイミングｔ２において灰色に相当する電圧Ｖg＋に
切り替える一方、それ以外のチャネルＣｈ２〜Ｃｈ６については図４（ｂ）の（４）に示
されるように、電圧Ｖb＋から電圧Ｖg＋への切り替えを、タイミングｔ１に早める。また
、プリチャージ電圧生成回路３０６は、負極性書込において、チャネルＣｈ１については
図４（ｂ）の（５）に示されるように、プリチャージ期間の最初において黒色に相当する
電圧Ｖb−とし、その後、タイミングｔ４において灰色に相当する電圧Ｖg−に切り替える
一方、それ以外のチャネルＣｈ２〜Ｃｈ６については図４（ｂ）の（６）に示されるよう
に、電圧Ｖb−から電圧Ｖg−への切り替えを、タイミングｔ３に早める。
【００２８】
チャネルＣｈ１の画像信号が供給されるデータ線１１４に、プリチャージ電圧として負
極性書込の黒色相当電圧Ｖb−が印加される期間は、チャネルＣｈ２〜Ｃｈ６の画像信号
が供給されるデータ線１１４と比較して長い。このため、チャネルＣｈ１のデータ線１１
４に位置する画素の液晶容量は、チャネルＣｈ２〜Ｃｈ６のデータ線１１４に位置する画
素の液晶容量よりも電圧実効値が光リークにより低下するので、図５（ｂ）に示されるよ
うに、チャネルＣｈ１に相当する画素が、チャネルＣｈ２〜Ｃｈ６に相当する画素よりも
明るくなる。したがって、図５（ａ）に示されるようにも元々発生していた縦スジは、図
５（ｂ）に示される画像との合成の結果、打ち消されて図５（ｃ）に示されるように解消
されることになる。
さらに、チャネルＣｈ１〜Ｃｈ６のいずれにおいても、プリチャージ期間の終了時には
、灰色相当電圧Ｖg＋、Ｖg−であるので、上述したように理想的な状態となり、その後の
灰色相当電圧の書き込みが高速かつ正確に実行されることになり、中間階調の再現性が向
上することになる。
【００２９】
他の画素よりも暗い画素を有するデータ線１１４へのプリチャージ電圧については、プ
リチャージ電圧として電圧Ｖb−が印加される期間を長くするほど、当該データ線１１４
に位置する画素を明るくする方向に補正することができる。ただし、プリチャージ期間の
終了時には、灰色相当電圧Ｖg−が印加されるようにした方が良い。そして、負極性書込
に対応して、黒色相当電圧Ｖb−から灰色相当電圧Ｖg−への切替タイミングを各チャネル
について定めたならば、定めたプリチャージ電圧波形を、電圧Ｖcを中心に反転させて正
極性書込のプリチャージ電圧波形とすれば良い。
【００３０】
なお、実施形態では、チャネルＣｈ１におけるプリチャージ電圧の切替タイミングを、
チャネルＣｈ２〜Ｃｈ６とは異なるようにしたが、この理由は、プリチャージ電圧の変更
前に発生する表示ムラが図５（ａ）に示されるようなものであることを想定したためであ
る。したがって、表示ムラが図５（ａ）とは異なるのであれば、プリチャージ電圧の切替
タイミングも実施形態とは当然に異なることになる。
例えば、チャネルＣｈ６の画像信号が供給されるデータ線１１４に位置する画素が、他
のチャネルＣｈ１〜Ｃｈ５のデータ線１１４に位置するよりも暗い場合、チャネルＣｈ６
におけるプリチャージ電圧の切替タイミングを、チャネルＣｈ１〜Ｃｈ５よりも遅くすれ
ば良い。
【００３１】
また、表示ムラを打ち消すように、プリチャージ電圧の切替タイミングを調整するので
はなく、別の表示ムラを積極的に発生させることによって、表示ムラを目立たなくしても
良い。例えば、図６（ａ）に示されるように縦スジが発生している場合に、図６（ｂ）に
示されるように斜めスジを積極的に発生させて、図６（ｃ）に示されるような合成像とし
て、もともとの縦スジを目立たなくするようにしても良い。本来的に縦または横方向のス
ジは、視認されやすく、比較的目立つが、斜めスジは、縦スジと同程度の階調差で発生し
ても、比較的視認されにくい、という特徴があるので、図６（ｃ）に示されるように、縦
スジと斜めスジとの合成像は比較的視認されにくい。
ここで、斜めスジを発生させるためには、プリチャージ電圧の切替タイミングを異なら
せるチャネルを、水平走査期間毎にシフトさせれば良い。図６（ｂ）の例でいえば、電圧
Ｖb−（Ｖb＋）から電圧Ｖg−（Ｖg＋）への切替タイミングを他よりも早めたチャネル、
すなわち、光リークの影響を少なくして画素を暗くするチャネルを、１水平走査期間毎に
、順番に、Ｃｈ１→Ｃｈ２→Ｃｈ３→Ｃｈ４→Ｃｈ５→Ｃｈ６→Ｃｈ１というようサイク
ルでシフトさせれば良い。もちろん、シフト量については１チャネル分ずつに限られない
。
【００３２】
また、実施形態では、縦スジなどの相展開の構成に起因する表示ムラが静的（固定的）
に発生することを前提としたが、表示内容に応じて動的に変化する場合も考えられる。そ
こで、映像データを例えば画素１行分だけ一旦貯め込んで当該映像データによる表示内容
を解析し、その解析結果によって発生するであろう表示ムラを打ち消すようにチャネルＣ
ｈ１〜Ｃｈ６におけるプリチャージ電圧の切替タイミングを個別に制御する構成としても
良い。
【００３３】
実施形態では、垂直走査方向がＧ１→Ｇｍの方向であり、水平走査方向がＳ１→Ｓｎの
方向であったが、後述するプロジェクタや回転可能な液晶パネルとする場合には、走査方
向を反転させる必要がある。ただし、映像信号ＶＩＤは、垂直走査および水平走査に同期
して供給されるので、画像信号処理回路３００の全体構成を変更する必要はない。
上述した実施形態にあっては、１つにまとめられた６本のデータ線１１４に対して、６
チャネルに変換された画像信号ＶＩＤ１〜ＶＩＤ６をサンプリングする構成したが、チャ
ネル数および同時に印加するデータ線数（すなわち、１つにまとめるデータ線数）は、「
６」に限られるものではなく、２以上であれば良い。例えば、チャネル数および同時に印
加するデータ線の数を「３」や、「１２」、「２４」として、３本や、１２本、２４本の
データ線に対して、３、１２、２４チャネルに分配した補正画像信号を供給する構成とし
ても良い。なお、チャネル数としては、カラーの画像信号が３つの原色に係る信号からな
ることとの関係から、３の倍数であることが制御や回路などを簡易化する上で好ましい。
ただし、後述するプロジェクタのように単なる光変調の用途の場合には、３の倍数である
必要はない。
【００３４】
一方、上述した実施形態において、画像信号処理回路３００は、ディジタルの映像信号
ＶＩＤを処理するものとしたが、アナログの画像信号を処理する構成としても良い。さら
に、上述した実施形態にあっては、対向電極１０８と画素電極１１８との電圧実効値が小
さい場合に白色表示を行うノーマリーホワイトモードとして説明したが、黒色表示を行う
ノーマリーブラックモードとしても良い。
また、実施形態では、プリチャージ電圧生成回路３０６によってプリチャージ信号を生
成して、Ｓ／Ｐ変換回路３０４によって変換された画像信号に置き換える構成としたが、
ディジタルの映像信号ＶＩＤに、ディジタルのプリチャージ信号に相当するデータを重畳
させる構成としても良い。
【００３５】
さらに、上述した実施形態では、液晶としてＴＮ型を用いたが、ＢＴＮ（Bi-stable Tw
isted Nematic）型・強誘電型などのメモリ性を有する双安定型や、高分子分散型、さら
には、分子の長軸方向と短軸方向とで可視光の吸収に異方性を有する染料（ゲスト）を一
定の分子配列の液晶（ホスト）に溶解して、染料分子を液晶分子と平行に配列させたＧＨ
（ゲストホスト）型などの液晶を用いても良い。
また、電圧無印加時には液晶分子が両基板に対して垂直方向に配列する一方、電圧印加
時には液晶分子が両基板に対して水平方向に配列する、という垂直配向（ホメオトロピッ
ク配向）の構成としても良いし、電圧無印加時には液晶分子が両基板に対して水平方向に
配列する一方、電圧印加時には液晶分子が両基板に対して垂直方向に配列する、という平
行（水平）配向（ホモジニアス配向）の構成としても良い。このように、本発明では、液
晶や配向方式として、種々のものに適用することが可能である。
【００３６】
＜電子機器＞
次に、上述した実施形態に係る電気光学装置を用いた電子機器のいくつかについて説明
する。
【００３７】
＜その１：プロジェクタ＞
まず、上述した液晶パネル１００をライトバルブとして用いたプロジェクタについて説
明する。図７は、このプロジェクタの構成を示す平面図である。この図に示されるように
、プロジェクタ２１００内部には、ハロゲンランプ等の白色光源からなるランプユニット
２１０２が設けられている。このランプユニット２１０２から射出された投射光は、内部
に配置された３枚のミラー２１０６および２枚のダイクロイックミラー２１０８によって
Ｒ（赤）、Ｇ（緑）、Ｂ（青）の３原色に分離されて、各原色に対応するライトバルブ１
００Ｒ、１００Ｇおよび１００Ｂにそれぞれ導かれる。なお、Ｂ色の光は、他のＲ色やＧ
色と比較すると、光路が長いので、その損失を防ぐために、入射レンズ２１２２、リレー
レンズ２１２３および出射レンズ２１２４からなるリレーレンズ系２１２１を介して導か
れる。
【００３８】
ここで、ライトバルブ１００Ｒ、１００Ｇおよび１００Ｂの構成は、上述した実施形態
における液晶パネル１００と同様であり、画像信号処理回路（図７では省略）から供給さ
れるＲ、Ｇ、Ｂの各色に対応する画像信号でそれぞれ駆動されるものである。すなわち、
このプロジェクタ２１００では、液晶パネル１００を含む電気光学装置が、Ｒ、Ｇ、Ｂの
各色に対応して３組設けられ、各色の液晶パネルにおける縦スジ等のムラが、それぞれ目
立たなくなるように補正された構成となっている。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各色の画像が合成された後、スクリーン２１２０には、投射レンズ２１１４
によってカラー画像が投射されることとなる。
【００３９】
なお、ライトバルブ１００Ｒ、１００Ｇおよび１００Ｂには、ダイクロイックミラー２
１０８によって、Ｒ、Ｇ、Ｂの各原色に対応する光が入射するので、上述したようにカラ
ーフィルタを設ける必要はない。また、ライトバルブ１００Ｒ、１００Ｂの透過像は、ダ
イクロイックミラー２１１２により反射した後に投射されるのに対し、ライトバルブ１０
０Ｇの透過像はそのまま投射されるので、ライトバルブ１００Ｒ、１００Ｂによる水平走
査方向は、ライトバルブ１００Ｇによる水平走査方向と逆向きにして、左右を反転させた
像を表示する構成となっている。
【００４０】
＜その２：モバイル型コンピュータ＞
次に、上述した電気光学装置を、モバイル型のパーソナルコンピュータに適用した例に
ついて説明する。図８は、このパーソナルコンピュータの構成を示す斜視図である。図に
おいて、コンピュータ２２００は、キーボード２２０２を備えた本体部２２０４と、表示
部として用いられる液晶パネル１００とを備えている。なお、この背面には、視認性を高
めるためのバックライトユニット（図示省略）が設けられる。
【００４１】
＜その３：携帯電話＞
さらに、上述した電気光学装置を、携帯電話の表示部に適用した例について説明する。
図９は、この携帯電話の構成を示す斜視図である。図において、携帯電話２３００は、複
数の操作ボタン２３０２のほか、受話口２３０４、送話口２３０６とともに、表示部とし
て用いられる液晶パネル１００を備えるものである。なお、この液晶パネル１００の背面
にも、視認性を高めるためのバックライトユニット（図示省略）が設けられる。
【００４２】
＜電子機器のまとめ＞
なお、電子機器としては、図７、図８および図９を参照して説明した他にも、テレビジ
ョンや、ビューファインダ型・モニタ直視型のビデオテープレコーダ、カーナビゲーショ
ン装置、ページャ、電子手帳、電卓、ワードプロセッサ、ワークステーション、テレビ電
話、ＰＯＳ端末、ディジタルスチルカメラ、タッチパネルを備えた機器等などが挙げられ
る。そして、これらの各種の電子機器に対して、本発明に係る表示パネルが適用可能なの
は言うまでもない。
【図面の簡単な説明】
【００４３】
【図１】本発明の実施形態に係る電気光学装置の全体構成を示すブロック図である。
【図２】同電気光学装置における液晶パネルの構成を示すブロック図である。
【図３】同電気光学装置の動作を説明するためのタイミングチャートである。
【図４】同電気光学装置の動作を説明するためのタイミングチャートである。
【図５】同電気光学装置における表示例を示す図である。
【図６】同電気光学装置におけるその他の表示例を示す図である。
【図７】実施形態に係る電気光学装置を適用した電子機器の一例たるプロジェクタの構成を示す断面図である。
【図８】実施形態に係る電気光学装置を適用した電子機器の一例たるパーソナルコンピュータの構成を示す斜視図である。
【図９】同電気光学装置を適用した電子機器の一例たる携帯電話の構成を示す斜視図である。
【図１０】従来の液晶パネルの構成を示す図である。
【図１１】液晶パネルの交流駆動の説明図である。
【図１２】液晶パネルにおける縦クロストークを示す図である。
【図１３】液晶パネルにおけるＴＦＴの光リークを説明するための図である。
【図１４】相展開の構成を示す図である。
【符号の説明】
【００４４】
１００…液晶パネル、１１２…走査線、１１４…データ線、１１６…ＴＦＴ、１１８…
画素電極、１３０…走査線駆動回路、１４０…シフトレジスタ、１５０…サンプリング回
路、２００…制御回路、３００…画像信号処理回路、３０６……プリチャージ電圧生成回
路、２１００…プロジェクタ、２２００…パーソナルコンピュータ、２３００…携帯電話
【図１】
2005148304.tif 000003
【図２】
2005148304.tif 000004
【図３】
2005148304.tif 000005
【図４】
2005148304.tif 000006
【図５】
2005148304.tif 000007
【図６】
2005148304.tif 000008
【図７】
2005148304.tif 000009
【図８】
2005148304.tif 000010
【図９】
2005148304.tif 000011
【図１０】
2005148304.tif 000012
【図１１】
2005148304.tif 000013
【図１２】
2005148304.tif 000014
【図１３】
2005148304.tif 000015
【図１４】
2005148304.tif 000016